(57)【要約】【課題】長時間使用することを可能にした履物を提供する。【解決手段】履物は、足を覆うアッパー１０と、そのアッパー１０の地面側に設けられたソール２０を備える。ソール２０は、つま先から踵に亘り接地面２７が地面側に凸の略円弧状である。この履物は、ソール２０の前後方向の中央部２４に重心Ｇが位置する。これにより、この履物の使用者は、歩行運動の際、着地時から立脚時、蹴脚時への体重移動を容易に行うことが可能である。また、使用者は、体のバランスを容易に維持できるので、歩行運動の姿勢が美しく、立脚時の姿勢が安定したものとなる。したがって、この履物は、使用者が長時間使用することのできるものである。【選択図】図４
0003188306.tif 000002
【実用新案登録請求の範囲】
【請求項１】
使用者の足を覆うアッパーと、
前記アッパーの地面側に設けられ、つま先から踵に亘り接地面が地面側に凸の略円弧状のソールと、を備え、
前記ソールの前後方向の中央部に重心が位置することを特徴とする履物。
【請求項２】
前記履物を水平な地面に置いた状態で、
前記ソールの前記接地面における重心位置と前記ソールのつま先側の端部とを結ぶ直線と、地面とのなす角をθ１とし、
前記ソールの前記接地面における重心位置と前記ソールの踵側の端部とを結ぶ直線と、前記地面とのなす角をθ２とすると、
θ１＞θ２であることを特徴とする請求項１に記載の履物。
【請求項３】
前記θ１は、２５°から１５°であり、
前記θ２は、２０°から１０°であることを特徴とする請求項２に記載の履物。
【請求項４】
前記ソールは、肉厚の厚い前記中央部と、その中央部よりも肉厚の薄いつま先部および踵部とを有し、
前記つま先部の弾性係数をＥ１、前記中央部の弾性係数をＥ２、前記踵部の弾性係数をＥ３とすると、
Ｅ１＞Ｅ２＞Ｅ３であることを特徴とする請求項１から３のいずれか一項に記載の履物。
【請求項５】
前記ソールは、前記使用者の足裏に接する面に足つぼ用の突起を有することを特徴とする請求項１から４のいずれか一項に記載の履物。
【考案の詳細な説明】
【技術分野】
【０００１】
本考案は、履物に関する。
【背景技術】
【０００２】
従来より、履物のソールの形状を側面から見て地面側に凸の円弧状としたものが知られている。この履物を履いた使用者は、バランスを取りながら歩くことにより、バランス運動と歩行運動を同時に行うことが可能である。
特許文献１に記載の履物は、つま先部分が斜め上方へ折れ曲がった形状である。そのため、ソールは、つま先部分よりも踵側に位置する部分の肉厚が厚く形成され、その部分が側面から見て地面側に凸の円弧状となっている。これにより、この履物は、使用者が履物を履いたときの不安定さを増している。
【先行技術文献】
【特許文献】
【０００３】
【特許文献１】特開２０１３−８１７４１号公報
【考案の概要】
【考案が解決しようとする課題】
【０００４】
しかしながら、特許文献１に記載の履物は、ソールのうち、肉厚が厚く形成された個所が、つま先部分よりも踵側に位置しているので、履物の重心が踵寄りとなる。そのため、この履物を履いた使用者は、体のバランスを維持することが困難となり、立脚時および歩行運動時の姿勢が悪くなることが懸念される。
また、履物の重心が踵寄りであることで、歩行運動における着地時から蹴脚時への体重移動が困難になると、長時間の歩行運動に支障をきたすことが懸念される。このように、使用者の姿勢が悪くなり、また、歩行運動を行う時間が短くなると、脚の筋肉の引き締め、及びダイエット効果が十分に得られなくなる。
本考案は上記問題に鑑みてなされたものであり、長時間使用することを可能にした履物を提供することを目的とする。
【課題を解決するための手段】
【０００５】
請求項１に係る考案によると、履物は、足を覆うアッパーと、そのアッパーの地面側に設けられたソールとを備える。ソールは、つま先から踵に亘り接地面が地面側に凸の略円弧状である。この履物は、ソールの前後方向の中央部に重心が位置する。
この構成により、履物を履いた使用者は、体のバランスを容易に維持できるので、歩行運動を美しい姿勢で行うことが可能になる。また、立脚時の姿勢も美しく、安定したものとなる。
さらに、使用者は、歩行運動における着地時から蹴脚時への体重移動を容易に行えるので、バランスを取りながら歩行運動を快適に長時間行うことが可能になる。使用者は歩行運動を行うとき、ソールのつま先部、中央部、及び踵部の高低差により、体重を上下移動するための負荷を得る。したがって、この履物を使用した使用者は、筋肉の活動量を増加し、脂肪燃焼及びダイエット効果を高め、太りにくく美しいスタイルを作ることができる。
【０００６】
請求項２に係る考案によると、履物を水平な地面に置いた状態で、ソールの接地面における重心位置とソールのつま先側の端部とを結ぶ直線と、地面とのなす角をθ１とする。また、ソールの接地面における重心位置とソールの踵側の端部とを結ぶ直線と、地面とのなす角をθ２とする。このとき、θ１＞θ２である。
これにより、蹴脚時に使用者の足にかかる負荷を強くすると共に、着地時に使用者の足にかかる負荷を低減することが可能である。そのため、使用者は、平坦地を歩いていても、坂道を登るような負荷が得られるので、大臀筋、中殿筋、大腿筋膜張筋、大腿二頭筋および下腿三頭筋等の下半身の筋肉と、腹直筋、腸腰筋および背筋等の上半身の一部の筋肉の活動量を、通常の靴を履いて歩く時よりも、１５％から５０％増加させることが可能になる。したがって、この履物１は、筋肉が活動するためのエネルギーとなる脂肪の消費量を増加させ、脂肪燃焼を促すことができる。
【０００７】
請求項３に係る考案によると、θ１は２５°から１５°であり、θ２は２０°から１０°である。
このように角度を設定することで、蹴脚時に使用者の足にかかる負荷を適度に強くすると共に、着地時に使用者の足にかかる負荷を低減することが可能である。したがって、この履物は、使用者が長時間の歩行運動を行っても疲れない安定性と、その歩行運動の際の負荷の増加を両立することができる。
【０００８】
請求項４に係る考案によると、ソールは、肉厚の厚い中央部と、その中央部よりも肉厚の薄いつま先部および踵部とを有する。つま先部の弾性係数をＥ１、中央部の弾性係数をＥ２、踵部の弾性係数をＥ３とする。このとき、Ｅ１＞Ｅ２＞Ｅ３である。
つまり、ソールは、つま先部が硬め、中央部が中間、踵部が柔らかめに形成される。これにより、使用者は、着地時に足の負担が軽減されると共に、蹴脚時に地面を強く蹴りだすことが可能になる。
【０００９】
請求項５に係る考案によると、ソールは、使用者の足裏に接する面に突起を有する。
これにより、この履物は、歩行運動と共に使用者の足つぼを刺激し、足の血行促進効果をもたらす。そのため、この履物を履く使用者は、脂肪燃焼によるダイエット効果と共に、足の血行促進効果により健康を維持することができる。
【図面の簡単な説明】
【００１０】
【図１】本考案の第１実施形態による履物の斜視図である。
【図２】左足用の履物の正面図である。
【図３】左足用の履物の背面図である。
【図４】左足用の履物の右側面図である。
【図５】左足用の履物の左側面図である。
【図６】左足用の履物の底面図である。
【図７】右足用の履物と左足用の履物の平面図である。
【図８】左足用の履物の分解図である。
【図９】本考案の第１実施形態による履物を使用した歩行運動の動作図である。
【図１０】本考案の第２実施形態による履物の側面図である。
【図１１】本考案の第３実施形態による履物の側面図である。
【００１１】
以下、本考案による実施形態を図面に基づいて説明する。
（第１実施形態）
本考案の第１実施形態を図１〜図９に示す。本実施形態の履物１は、バランスを取りながら歩くことにより、ダイエットを行うことが可能な靴である。
履物１は、使用者の足を覆うアッパー１０、及び、そのアッパー１０の地面側に設けられるソール２０を備える。アッパー１０は、全体が合成繊維によって構成され、トゥキャップ１１、履き口１２、はとめライン１３及びヒールキャップ１４等に本革又は合成皮革が縫い合わされている。はとめ１５に通されたレース１６の締め付け調整により、アッパー１０を使用者の足にフィットさせることが可能である。
【００１２】
図４、図５及び図８に示すように、ソール２０は、アッパー１０の地面側に設けられ、船底のような形状を呈する。ソール２０は、ミッドソール２１、アウトソール２２及びインソール２３等から構成される。
ミッドソール２１は、例えばエチレン酢酸ビニルコポリマー（ＥＶＡ）などを含む合成樹脂から形成される。ミッドソール２１は、肉厚が厚い中央部２４と、その中央部２４よりも肉厚が薄いつま先部２５および踵部２６とを有する。なお、図４及び図５では、つま先部２５、中央部２４及び踵部２６の境界を概念的に破線で示しているが、これらは一体に成形される。
ミッドソール２１は、つま先から中央部２４に向かい肉厚が次第に厚くなり、中央部２４から踵に向かい肉厚が次第に薄くなるようにラウンドしている。そのため、ソール２０は、つま先部２５から踵部２６に亘り接地面２７が地面側に凸の略円弧状に形成される。
【００１３】
アウトソール２２は、例えば合成ゴム等から板状に形成され、ミッドソール２１の地面側に設けられる。図６に示すように、アウトソール２２は凹凸による滑り止めを有する。
ミッドソール２１とアウトソール２２は、例えば一方を一次成形した後、他方を二次成形することで一体に形成される。また、アウトソール２２とミッドソール２１とは、接着により貼り合せてもよい。
【００１４】
図４及び図５に示すように、履物１を水平な地面３０に置いた状態で、ソール２０の前後方向の中央部２４が地面３０に当接する。つまり、この履物１は、ソール２０の前後方向の中央に重心位置Ｇがある。
これにより、履物１を使用する使用者は、体のバランスを容易に維持できるので、歩行運動を美しい姿勢で行うことが可能になる。また、使用者は、歩行運動の際、踵部２６による着地からつま先部２５による蹴脚への体重移動を容易に行えるので、バランスを取りながら歩行運動を長時間快適に行うことが可能になる。
さらに、使用者は、立脚時の姿勢も美しく、安定したものとなる。
【００１５】
ここで、ソール２０の接地面２７における重心位置Ｇとソール２０のつま先側の端部２５１とを結ぶ直線Ｌ１と、地面３０とのなす角をθ１とする。θ１は、２５°から１５°であり、好ましくは２２°から１２°、即ち２０°前後である。θ１を２５°よりも大きくすると、蹴脚時に重心位置Ｇが地面から高くなり、使用者の足にかかる負荷が強くなりすぎるので、長時間の歩行運動が困難になる。θ１を１５°よりも小さくすると、蹴脚時に重心位置Ｇが低くなり、使用者の足にかかる負荷が弱くなりすぎるので、歩行運動による脂肪燃焼効果が低減する。
【００１６】
また、ソール２０の接地面２７における重心位置Ｇとソール２０の踵側の端部２６１とを結ぶ直線Ｌ２と、地面３０とのなす角をθ２とする。θ２は、２０°から１０°であり、好ましくは１７°から１３°、即ち１５°前後である。θ２を２０°よりも大きくすると、着地時に重心位置が地面から高くなり、不安定になると共に、着地時から蹴脚時への体重移動が困難になる。θ２を１０°よりも小さくすると、歩行運動による脂肪燃焼効果が低減する。
【００１７】
ソール２０は、重心位置Ｇよりもつま先側の曲率半径が、重心位置Ｇよりも踵側の曲率半径よりも小さい。これにより、蹴脚時に使用者の足にかかる負荷を強め、着地時に使用者の足にかかる負荷を低減すると共に、着地時から蹴脚時への体重移動を容易に行うことが可能になる。
【００１８】
ソール２０は、つま先部２５が硬め、中央部２４が中間の硬さ、踵部２６が柔らかめに形成される。ここで、ソール２０のつま先部２５の弾性係数をＥ１とし、中央部２４の弾性係数をＥ２とし、踵部２６の弾性係数をＥ３とする。このとき、ソール２０の各部の弾性係数は、Ｅ１＞Ｅ２＞Ｅ３である。
これにより、使用者は、着地時に足の負担が軽減されると共に、蹴脚時に地面３０を強く蹴りだすことが可能になる。したがって、使用者は、歩行運動を長時間行うと共に、脂肪燃焼量を増加させることできる。
なお、つま先部２５、中央部２４及び踵部２６は、例えば樹脂多色成形、又は、複数部品の接合などにより形成することが可能である。
【００１９】
図２及び図３に示すように、ソール２０の接地面２７は、前後方向のどの位置においても、左右方向にラウンドすることなく、略水平である。これにより、使用者が歩行運動する際、又は立脚時において、体が左右によろめくことが防がれる。
【００２０】
図８に示すように、インソール２３は、例えばウレタン樹脂などから形成され、ミッドソール２１の地面と反対側の面２８の上に設置される。インソール２３は、使用者の足裏に接する面に足つぼ用の突起２９を有する。この突起２９は、足裏の左右それぞれの反射区に対応するように設けられている。即ち、左足用のインソール２３の突起２９の位置と、右足用のインソール２３の突起２９の位置とは異なる。このインソール２３に設けられた突起２９は、歩行運動と共に使用者の足つぼを刺激し、足の血行促進効果をもたらす。
【００２１】
第１実施形態の履物１を使用して歩行運動を行う様子を図９に示す。図９（Ａ）は着地時の状態であり、（Ｂ）は立脚時の状態であり、（Ｃ）は蹴脚時の状態である。
図９（Ａ）に示すように、着地時は、ソール２０の接地面２７と地面３０とのなす角θ３が比較的小さいので、重心位置Ｇと地面３０との距離Ｄ１が近くなる。また、踵部２６の曲率半径は比較的大きいので、接地面２７に作用する単位面積あたりの荷重が小さくなる。そのため、使用者の足にかかる負荷を低減ことが可能である。
図９（Ｂ）の矢印Ｒ１，Ｒ２に示すように、立脚時は、履物１が重心位置Ｇを中心に安定して回転するので、使用者が体重移動を滑らかに行うことが可能である。
【００２２】
図９（Ｃ）に示すように、蹴脚時は、ソール２０の接地面２７と地面３０とのなす角θ４が比較的大きいので、重心位置Ｇと地面３０との距離Ｄ２が遠くなる。そのため、重心位置Ｇを地面３０から高く持ち上げることになり、使用者の足にかかる負荷を適度に強くすることが可能である。これにより、使用者は、大臀筋、中殿筋、大腿筋膜張筋、大腿二頭筋および下腿三頭筋等の下半身の筋肉と、腹直筋、腸腰筋および背筋等の上半身の一部の筋肉の活動量を増加させることが可能になる。
したがって、この履物１は、使用者の足に過度に負担をかけることなく、安定した長時間の歩行運動を、上述した下半身の筋肉と上半身の一部の筋肉を十分に使って行うことが可能になるので、使用者の脂肪消費量を増加させることができる。
【００２３】
（第１実施形態の作用効果）
第１実施形態の履物１は、次の作用効果を奏する。
（１）第１実施形態では、履物１は、ソール２０の前後方向の中央部２４に重心位置Ｇを有する。
これにより、この履物１を使用する使用者は、体のバランスを容易に維持することができるので、歩行運動を長時間快適に行うことが可能になる。また、使用者は、歩行運動及び立脚時に、安定した美しい姿勢を維持することが可能である。したがって、使用者は、筋肉の活動量を増加し、脂肪燃焼及びダイエット効果を高め、太りにくく美しいスタイルを作ることができる。
【００２４】
（２）第１実施形態では、ソール２０のつま先側の端部２５１と重心位置Ｇとを結ぶ直線Ｌ１と地面３０とのなす角θ１は、ソール２０の踵側の端部２６１と重心位置Ｇとを結ぶ直線Ｌ２と地面３０とのなす角θ２よりも大きい。
これにより、蹴脚時に使用者の足にかかる負荷を強くすると共に、着地時に使用者の足にかかる負荷を低減することが可能である。そのため、使用者は、平坦地を歩いていても、坂道を登るような負荷が得られるので、大臀筋、中殿筋、大腿筋膜張筋、大腿二頭筋および下腿三頭筋等の下半身の筋肉と、腹直筋、腸腰筋および背筋等の上半身の一部の筋肉の活動量を、通常の靴を履いて歩く時よりも、１５％から５０％増加させることが可能になる。したがって、この履物１は、筋肉が活動するためのエネルギーとなる脂肪の消費量を増加させ、脂肪燃焼を促すことができる。
【００２５】
（３）第１実施形態では、上記の角度θ１は２５°から１５°であり、角度θ２は２０°から１０°である。
これらの角度θ１、θ２の設定により、蹴脚時に使用者の足にかかる負荷を適度に強くすると共に、着地時に使用者の足にかかる負荷を低減することが可能である。したがって、この履物１は、使用者が歩行運動を行う際の負荷の増加と、その歩行運動を長時間行うことのできる安定性を両立することができる。
【００２６】
（４）第１実施形態では、ソール２０のつま先部２５の弾性係数Ｅ１と、中央部２４の弾性係数Ｅ２と、踵部２６の弾性係数Ｅ３との関係は、Ｅ１＞Ｅ２＞Ｅ３である。
これにより、使用者は、着地時に足の負担が軽減されると共に、蹴脚時に地面３０を強く蹴りだすことが可能になる。したがって、使用者は、歩行運動を長時間行うことが可能になる。ここで、脂肪燃焼は、歩行運動の有酸素運動による酸素摂取量の増加により促される。したがって、使用者は、長時間の有酸素運動により、脂肪燃焼によるダイエット効果が得られる。
【００２７】
（５）第１実施形態では、インソール２３は、使用者の足裏に接する面に突起２９を有する。
これにより、この履物１は、歩行運動と共に使用者の足つぼを刺激し、足の血行促進効果をもたらす。そのため、この履物１を履く使用者は、脂肪燃焼によるダイエット効果と共に、足の血行促進効果により、健康を維持することができる。
また、インソール２３の突起２９はウレタン樹脂から形成されており、比較的柔らかいので、長時間の歩行運動によっても、足裏に適度な刺激を与え続けることができる。
【００２８】
（第２、第３実施形態）
本考案の第２実施形態を図１０に示し、第３実施形態を図１１に示す。これらの実施形態において上述した第１実施形態と実質的に同一の構成には同一の符号を付して説明を省略する。
第２実施形態の履物２は、アッパー１８が使用者の下腿部または膝上までを覆うロングブーツである。
第３実施形態の履物３は、アッパー１９が使用者の踝またはその上までを覆うハーフブーツ又はショートブーツである。
したがって、これらの履物２，３は、アッパー１８，１９により使用者の足首を保護することが可能である。
【００２９】
これらの履物２，３は、第１実施形態と実質的に同一のソール２０を備える。また、これらの履物２，３は、重心位置Ｇがソール２０の前後方向の中央となるように調整される。したがって、第２、第３実施形態は、第１実施形態と同一の作用効果を奏する。
【００３０】
（他の実施形態）
（１）上述した実施形態では、屋外の歩行運動に使用することの可能な履物について説明した。これに対し、他の実施形態では、履物は、走行運動またはストレッチ運動に使用してもよく、また、屋内で使用することも可能である。
（２）上述した実施形態では、レース付きの靴、ロングブーツ、ハーフブーツ又はショートブーツとしての履物について説明した。これに対し、他の実施形態では、履物は、レースの無い靴、またはサンダルなど、種々のものとすることが可能である。
（３）上述した実施形態では、ソールは、左右方向にラウンドしないように構成した。これに対し、他の実施形態では、ソールは、前後方向および左右方向にもラウンドするように構成してもよい。これにより、バランス運動の効果を高めることができる。
このように、本考案は、上記実施形態に限定されるものではなく、実用新案登録請求の範囲に記載した考案の趣旨を逸脱しない範囲において、種々の形態で実施することができる。
【符号の説明】
【００３１】
１，２，３・・・履物
１０，１８，１９・・・アッパー
２０      ・・・ソール
２４      ・・・中央部
２７      ・・・接地面
Ｇ        ・・・重心位置
【図１】
0003188306.tif 000003
【図２】
0003188306.tif 000004
【図３】
0003188306.tif 000005
【図４】
0003188306.tif 000006
【図５】
0003188306.tif 000007
【図６】
0003188306.tif 000008
【図７】
0003188306.tif 000009
【図８】
0003188306.tif 000010
【図９】
0003188306.tif 000011
【図１０】
0003188306.tif 000012
【図１１】
0003188306.tif 000013